(57)【要約】【課題】情報の表示、選択性に優れ、特に情報の選択から項目の選択決定が直感的に分かり易く操作可能な情報選択装置を提供する。【解決手段】操作入力部としての３次元入力デバイス１００と、３次元入力デバイス１００の操作により、対象モデル２００、及び、対象モデル２００に付されるメニュー項目２１０を、回転、移動、又は、ズーム操作して表示装置としての表示モニタ３００に表示する表示制御部４１０と、表示制御部４１０により表示モニタ３００に表示されたメニュー項目２１０が選択されたことを判断する選択判断部４２０と、を有して構成し、メニュー項目がズーム操作により所定の大きさ以上に拡大された場合にメニュー項目が選択されたと判断する。【選択図】図１
2010055166.tif 000002
【特許請求の範囲】
【請求項１】
操作入力部と、
前記操作入力部の操作により、対象モデル、及び、前記対象モデルに付されるメニュー項目を、回転、移動、又は、ズーム操作して表示装置に表示する表示制御部と、
前記表示制御部により前記表示装置に表示された前記メニュー項目のうち所定のメニュー項目が選択されたことを判断する選択判断部と、を有し、
前記選択判断部は、前記メニュー項目が前記ズーム操作により所定の大きさ以上に拡大された場合に前記メニュー項目が選択されたと判断することを特徴とする情報選択装置。
【請求項２】
前記操作入力部は、前記対象モデルを前記表示装置上で２次元移動させる２次元操作部と、前記対象モデルを前記表示装置上で奥行き方向に移動させるズーム操作部とを有することを特徴とする請求項１に記載の情報選択装置。
【請求項３】
前記対象モデルは車両であり、前記メニュー項目は前記車両の操作対象項目であることを特徴とする請求項１に記載の情報選択装置。
【発明の詳細な説明】
【技術分野】
【０００１】
本発明は、情報選択装置に関する。
【背景技術】
【０００２】
従来、３次元的に表示した情報選択用のＧＵＩにおいて、押下げをすることで方向操作し、操作部材を回転させることで奥行き方向の操作を行う情報選択装置がある。この情報選択装置は、３次元的に表示する複数の選択候補となるオブジェクトをオブジェクト記憶部に記憶し、押下及び回動自在な操作入力部から入力された回転操作に従って、オブジェクトの奥行き方向の表示位置を変更した表示画像を生成しディスプレイに表示する３次元表示制御部を有し、回転操作を奥行きの移動、押し下げ操作を画面縦横方向の移動に割り当てることで、３次元に配置したコンテンツ選択操作を行うものである（特許文献１参照）。
【０００３】
この情報選択装置によれば、回転操作を奥行きの移動、押し下げ操作を画面縦横方向の移動に割り当てることで、３次元に配置したコンテンツ選択操作を容易に行うことができる。また、回転スピードが高速な場合、奥行き方向に複数のコンテンツをまとめて移動することで高速に飛ばして検索しながらも視覚的な変化を抑えられ、視認性を高めることが出来るとされている。
【特許文献１】特開２００６−１０７１７０号公報
【発明の開示】
【発明が解決しようとする課題】
【０００４】
しかし、特許文献１の情報選択装置は、奥行きの移動を回転操作すると共に、画面縦横方向の移動を押し下げ操作で行なうので、連続的な移動操作性には改善の余地があり、また、選択候補が選択された後の最終的な項目決定等は示されておらず、別途押し下げ操作等の選択決定操作が必要となるという問題があった。
【０００５】
従って、本発明の目的は、情報の表示、選択性に優れ、特に情報の選択から項目の選択決定が直感的に分かり易く操作可能な情報選択装置を提供することにある。
【課題を解決するための手段】
【０００６】
［１］本発明は、上記目的を達成するため、操作入力部と、前記操作入力部の操作により、対象モデル、及び、前記対象モデルに付されるメニュー項目を、回転、移動、又は、ズーム操作して表示装置に表示する表示制御部と、前記表示制御部により前記表示装置に表示された前記メニュー項目のうち所定のメニュー項目が選択されたことを判断する選択判断部と、を有し、前記選択判断部は、前記メニュー項目が前記ズーム操作により所定の大きさ以上に拡大された場合に前記メニュー項目が選択されたと判断することを特徴とする情報選択装置を提供する。
【０００７】
［２］前記操作入力部は、前記対象モデルを前記表示装置上で２次元移動させる２次元操作部と、前記対象モデルを前記表示装置上で奥行き方向に移動させるズーム操作部とを有することを特徴とする上記［１］に記載の情報選択装置であってもよい。
【０００８】
［３］また、前記対象モデルは車両であり、前記メニュー項目は前記車両の操作対象項目であることを特徴とする上記［１］に記載の情報選択装置であってもよい。
【発明の効果】
【０００９】
本発明によれば、情報の表示、選択性に優れ、特に情報の選択から項目の選択決定が直感的に分かり易く操作可能な情報選択装置を提供することができる。
【発明を実施するための最良の形態】
【００１０】
[本発明の実施の形態]
図１は、本発明の実施の形態に係る情報選択装置の構成ブロック図である。図２は、本発明の実施の形態に係る情報選択装置が車両に適用された状態を示す斜視図である。図３は、本発明の実施の形態に係る情報選択装置の構成要素である３次元入力デバイスの外観斜視図である。図４は、本発明の実施の形態に係る情報選択装置において、対象モデルが表示されるメニュー域の大小関係を概念的に示す模式図である。図５は、本発明の実施の形態に係る情報選択装置の表示及び選択決定のためのフローを示すフローチャートである。図６Ａ、Ｂ、Ｃは、フローチャートに従って表示された対象モデル、メニュー項目を段階的に示す画面表示図である。
【００１１】
（情報選択装置１の構成）
図１に示すように、本発明の実施の形態に係る情報選択装置１は、操作入力部としての３次元入力デバイス１００と、３次元入力デバイス１００の操作により、対象モデル２００、及び、対象モデル２００に付されるメニュー項目２１０を、回転、移動、又は、ズーム操作して表示装置としての表示モニタ３００に表示する表示制御部４１０と、表示制御部４１０により表示モニタ３００に表示されたメニュー項目２１０が選択されたことを判断する選択判断部４２０と、を有して構成されている。
【００１２】
（３次元入力デバイス１００）
３次元入力デバイス１００は、図２に示すように、例えば、車両１０のインスツルメントパネル２０の運転者あるいは搭乗者が操作可能な位置に装着されている。また、３次元入力デバイス１００で操作した表示画像は表示モニタ３００に表示される。
【００１３】
図３に示すように、３次元入力デバイス１００は、互いに直交するX、Y方向に２次元操作可能なトラックボール１１０と、θ方向に回転可能な回転ホイール１２０を備えている。トラックボール１１０または回転ホイール１２０の動きは、公知の各種検出デバイスが使用可能であり、例えば、ポテンショメータ、光エンコーダによる移動量、回転角検出、MR素子等の磁気検出センサ等が使用できる。
【００１４】
（ＥＣＵ４００）
ＥＣＵ（Electric Control Unit）４００は、表示制御部４１０、選択判断部４２０を有するＣＰＵからなり、制御フローを実行するためのプログラムが格納されたＲＯＭ４３０が接続されると共に、処理作業領域としてのＲＡＭ４４０が接続されている。また、表示モニタ３００に表示する対象モデル２００、例えば、特定の車種の外観データとこれに対応したメニュー項目２１０を記憶した記憶部４５０が接続されている。記憶部４５０として、半導体メモリー、ＣＤ−ＲＯＭ等を使用することにより、車種毎にデータ交換が容易に可能である。
【００１５】
ＥＣＵ４００には、入力として３次元入力デバイス１００からの信号（Ｘ、Ｙ、θ）が入力されると共に、表示制御部４１０から表示モニタ３００に画像信号が出力される。
【００１６】
図４は、表示モニタ３００のモニタ画面３１０上に表示される対象モデル２００、及び、対象モデル２００に付されるメニュー項目２１０の大小関係（モニタ画面３１０上の拡大率）、及び、メニュー項目２１０の詳細関係を概念的に示している。情報選択装置１の初期画面は、大分類メニュー域５１０によりモニタ画面３１０上に大まかに分類されたメニュー項目２１０が表示され、対象モデル２００は車両全体が視認されるように全体画像が表示される。詳細メニュー域５２０は、大分類メニュー域５１０に比較して詳しいメニュー項目２１０が表示され、これに対応して対象モデル２００は拡大されて表示される。決定メニュー域５３０は、詳細メニュー域５２０に比較してさらに詳しいメニュー項目２１０が表示され、これに対応して対象モデル２００はさらに拡大されて表示される。
【００１７】
上記の大分類メニュー域５１０、詳細メニュー域５２０、決定メニュー域５３０に対応したメニュー項目２１０、および、対象モデル２００は、それぞれの拡大率に応じた画像データ、メニュー文字データ等が記憶部４５０にライブラリとして記憶されており、必要に応じてＥＣＵ４００から参照される。尚、上記示した大分類メニュー域５１０、詳細メニュー域５２０、決定メニュー域５３０は一例であって、さらに多くのメニュー域を設けることも可能である。
【００１８】
（情報選択装置１の動作）
図５のフローチャートに従って情報選択装置１の動作を説明する。情報選択装置１の動作がスタートすると、まず、図６A（ａ）に示すような初期画面が表示モニタ３００のモニタ画面３１０上に表示される（Ｓｔｅｐ１）。この初期画面は、大分類メニュー域５１０に対応した対象モデル２００及びメニュー項目２１０である。対象モデル２００は車両全体が表示され、車両の操作対象部位にメニュー項目２１０が付されて表示される。
【００１９】
３次元入力デバイス１００のトラックボール１１０をX、Y方向に２次元操作して、モニタ画面３１０上で対象モデル２００を横方向（X方向）回転または移動させる。また、縦方向（Y方向）に移動させて、図６A（ｂ）に示すように項目選択したいメニュー項目２１０を画面中央付近にもってくる（Ｓｔｅｐ２）。以下では、例えば、ミラー（サイドミラー）を格納するための操作として説明する。
【００２０】
３次元入力デバイス１００の回転ホイール１２０をθ方向に回転させて、図６B（ｃ）に示すようにモニタ画面３１０上で対象モデル２００をズーム（拡大）させる（Ｓｔｅｐ３）。これにより、詳細メニュー域５２０に対応した拡大された対象モデル２００と詳しいメニュー項目２１０が表示される（Ｓｔｅｐ４）。
【００２１】
次に、Ｓｔｅｐ２と同様に、３次元入力デバイス１００のトラックボール１１０をX、Y方向に２次元操作して項目選択したいメニュー項目２１０を画面中央付近にもってくる（Ｓｔｅｐ５）。この詳細メニュー域５２０では、例えば、ミラーに関するメニュー項目は、図６B（ｃ）に示すように、ミラーヒータの操作、ミラー鏡面調整、ミラー格納、ミラー復帰、ミラーオート電格の複数のサブメニューが表示される。従って、ここでのトラックボール１１０の操作は、目的とする「ミラー格納」を画面中央付近にもってくる。但し、このサブメニュー「ミラー格納」が既に画面中央にある場合は、この操作は不要である。
【００２２】
次に、Ｓｔｅｐ３と同様に、３次元入力デバイス１００の回転ホイール１２０をθ方向に回転させて、図６B（ｄ）に示すようにモニタ画面３１０上で対象モデル２００をさらに拡大させる（Ｓｔｅｐ６）。これにより、決定メニュー域５３０に対応したさらに拡大された対象モデル２００とさらに詳しいメニュー項目２１０が表示される（Ｓｔｅｐ７）。
【００２３】
次に、Ｓｔｅｐ２、５と同様に、３次元入力デバイス１００のトラックボール１１０をX、Y方向に２次元操作して、図６B（ｄ）に示された決定メニュー域５３０での画面上で、最終的に選択したい、「ミラー格納」の「Ｙｅｓ」を画面中央にもってくる（Ｓｔｅｐ８）。但し、このサブメニュー「Ｙｅｓ」が既に画面中央にある場合は、この操作は不要である。
【００２４】
ミラー格納を行なう場合は、「ミラー格納」の「Ｙｅｓ」を選択する。この選択は、３次元入力デバイス１００の回転ホイール１２０をさらにθ方向に回転させて、図６C（ｅ）に示すようにサブメニュー「Ｙｅｓ」をさらに拡大させる（Ｓｔｅｐ９）。
【００２５】
３次元入力デバイス１００の回転ホイール１２０操作により、サブメニュー「Ｙｅｓ」の拡大を続けると、例えば、図６C（ｆ）に示すように、サブメニュー「Ｙｅｓ」が所定の大きさ以上に拡大される。このとき、選択判断部４２０は、「ミラー格納」の「Ｙｅｓ」が所定値を超えたかどうか判断し（Ｓｔｅｐ１０）、所定値を超えた場合は「Ｙｅｓ」が選択されたと判断し、メニュー項目が決定される（Ｓｔｅｐ１１）。この拡大表示は、メニュー項目を完全に突き抜ける感覚が得られるまで拡大して表示することが可能である。尚、「ミラー格納」の「Ｙｅｓ」が選択されるまでは、Ｓｔｅｐ８、９に戻り、トラックボール１１０のX、Y操作、及び、回転ホイール１２０の操作が可能である。
【００２６】
メニュー項目が決定されると、ＥＣＵ４００は、車両１０のミラーを格納制御するよう制御信号を出力する等の車載機器の制御を行ない（Ｓｔｅｐ１２）、一連のフローが終了する。尚、一連のフロー終了後は、設定により、大分類メニュー域５１０の表示、詳細メニュー域５２０の表示、あるいは、直近表示の決定メニュー域５３０の表示に戻るようにしてもよい。
【００２７】
（本発明の実施の形態の効果）
上記示した本発明の実施の形態によれば以下のような効果を有する。
（１）初期画面である大分類メニュー域５１０から詳細メニュー域５２０、決定メニュー域５３０にメニュー項目２１０を拡大させながらメニューの選択、決定ができるので、直感的に分かり易く、素早い操作ができ、操作性の向上が可能となる。
（２）決定メニュー域５３０において、回転ホイール１２０を操作してズーム（拡大）操作をするだけで、メニューの選択、決定ができるので、別途ボタンの押し下げ操作等の選択決定操作が不要である。これにより、メニューの選択から決定までが連続的に行なわれるので、操作性が飛躍的に向上する。
（３）表示モニタ３００のモニタ画面３１０内を、大分類メニュー域５１０から詳細メニュー域５２０、決定メニュー域５３０まで空間内を移動するような感覚で操作でき、決定メニュー域５３０でのズーム(拡大)操作により、メニュー項目を突き抜ける感覚でメニューの決定がなされる。これにより、従来にない操作感覚を有する情報選択装置１が可能となる。
（４）本発明の実施の形態では、画面表示を、大分類メニュー域５１０から詳細メニュー域５２０、決定メニュー域５３０の３段階としたが、さらに、細かい段数で表示を行なうことにより、シームレスに空間内を移動しながらメニューの選択、決定を行なうシステムとすることが可能である。
【００２８】
尚、本発明は、上記した実施の形態に限定されず、本発明の技術思想を逸脱あるいは変更しない範囲内で種々の変形が可能である。
【図面の簡単な説明】
【００２９】
【図１】図１は、本発明の実施の形態に係る情報選択装置の構成ブロック図である。
【図２】図２は、本発明の実施の形態に係る情報選択装置が車両に適用された状態を示す斜視図である。
【図３】図３は、本発明の実施の形態に係る情報選択装置の構成要素である３次元入力デバイスの外観斜視図である。
【図４】図４は、本発明の実施の形態に係る情報選択装置において、対象モデルが表示されるメニュー域の大小関係を概念的に示す模式図である。
【図５】図５は、本発明の実施の形態に係る情報選択装置の表示及び選択決定のためのフローを示すフローチャートである。
【図６Ａ】図６Ａ（ａ）、（ｂ）は、フローチャートに従って表示された対象モデル、メニュー項目を段階的に示す画面表示図である。
【図６Ｂ】図６Ｂ（ｃ）、（ｄ）は、フローチャートに従って表示された対象モデル、メニュー項目を段階的に示す画面表示図である。
【図６Ｃ】図６Ｃ（ｅ）、（ｆ）は、フローチャートに従って表示された対象モデル、メニュー項目を段階的に示す画面表示図である。
【符号の説明】
【００３０】
１…情報選択装置、１０…車両、２０…インスツルメントパネル、１００…３次元入力デバイス、１１０…トラックボール、１２０…回転ホイール、２００…対象モデル、２１０…メニュー項目、３００…表示モニタ、３１０…モニタ画面、４００…ＥＣＵ、４１０…表示制御部、４２０…選択判断部、４３０…ＲＯＭ、４４０…ＲＡＭ、４５０…記憶部、５１０…大分類メニュー域、５２０…詳細メニュー域、５３０…決定メニュー域
【図１】
2010055166.tif 000003
【図２】
2010055166.tif 000004
【図３】
2010055166.tif 000005
【図４】
2010055166.tif 000006
【図５】
2010055166.tif 000007
【図６Ａ】
2010055166.tif 000008
【図６Ｂ】
2010055166.tif 000009
【図６Ｃ】
2010055166.tif 000010